(57)【要約】【課題】よりよい品質を維持するための工程管理方法及び工程管理プログラムを提供する。【解決手段】工程管理サーバ２０の管理コンピュータ２１は、各ロットの階層関係に関する情報として、ロット番号、部番及び前工程部番・ロット番号に関するデータを含むロットデータをロットデータ記憶部３１に記録する。そして、特定のロットに関連する関連ロットを、ロットデータ記憶部３１に記録されたロット番号、部番及び前工程部番・ロット番号に基づくツリー構造を用いて特定するロットトレース処理を行う。そして、このツリー構造を用いた関連ロットの特定に基づいて、特定のロット及びこの関連ロットの利用を保留にするための保留処理を行う。【選択図】図１
2007102732.tif 000002
【特許請求の範囲】
【請求項１】
ロット識別子を用いてロットの階層関係に関するデータを記録するロット階層データ記憶手段と、管理コンピュータとを備えた工程管理サーバを用いて工程管理を行う工程管理方法であって、
前記管理コンピュータが、
各ロットの階層関係に関する情報を前記ロット階層データ記憶手段に記録する段階と、
特定のロットに関連する関連ロットを、前記ロット階層データ記憶手段に記録されたデータに基づくツリー構造を用いて特定するロットトレース処理を行う段階と、
前記ツリー構造を用いた関連ロットの特定に基づいて、前記特定のロット及び前記関連ロットの利用を保留にするための保留処理を行う段階と
を実行することを特徴とする工程管理方法。
【請求項２】
前記工程管理サーバは、各ロットの製造設備及び製造時刻に関する情報を記録するロット製造データ記憶手段をさらに備え、
前記管理コンピュータが、
各ロットの製造設備及び製造時刻に関する情報を前記ロット製造データ記憶手段に記録する段階と、
前記ロット製造データ記憶手段に記録された前記製造設備及び製造時刻に基づいて、ロットを検索する段階とをさらに実行し、
前記検索されたロットを前記特定のロットとして、前記ロットトレース処理と前記保留処理とを実行することを特徴とする請求項１に記載の工程管理方法。
【請求項３】
前記管理コンピュータが、前記ロットトレース処理により特定された関連ロットを表示する段階と、
前記表示された関連ロットのユーザによる選択を受け入れる段階とをさらに実行し、
前記保留処理は、前記特定のロット及び前記選択された関連ロットについて実行することを特徴とする請求項１又は２に記載の工程管理方法。
【請求項４】
前記工程管理サーバは、品質を維持できる範囲に関する管理基準条件と、前記管理基準条件の範囲内において、より厳格な条件である通知条件とに関するデータを記録した基準条件データ記憶手段をさらに備え、
前記管理コンピュータが、
ロットの検査結果が前記通知条件を満たした場合に、前記基準条件を満たしたロットに関する通知を行い、
前記管理基準条件の範囲を逸脱した場合には、前記管理基準条件の範囲を逸脱したロットを前記特定のロットとして、前記ロットトレース処理と前記保留処理とを実行することを特徴とする請求項１〜３のいずれか１つに記載の工程管理方法。
【請求項５】
ロット識別子を用いてロットの階層関係に関するデータを記録するロット階層データ記憶手段と、管理コンピュータとを備えた工程管理サーバを用いて工程管理を行うための工程管理プログラムであって、
前記管理コンピュータを、
各ロットの階層関係に関する情報を前記ロット階層データ記憶手段に記録する段階と、
特定のロットに関連する関連ロットを、前記ロット階層データ記憶手段に記録されたデータに基づくツリー構造を用いて特定するロットトレース処理を行うロットトレース手段と、
前記ツリー構造を用いた関連ロットの特定に基づいて、前記特定のロット及び前記関連ロットの利用を保留にするための保留処理を行う保留手段
として機能させることを特徴とする工程管理プログラム。
【請求項６】
前記工程管理サーバは、各ロットの製造設備及び製造時刻に関する情報を記録するロット製造データ記憶手段をさらに備え、
前記管理コンピュータを、さらに、
各ロットの製造設備及び製造時刻に関する情報を前記ロット製造データ記憶手段に記録する手段と、
前記ロット製造データ記憶手段に記録された前記製造設備及び製造時刻に基づいて、ロットを検索する手段として機能させるとともに、
前記検索されたロットを前記特定のロットとして、前記ロットトレース処理と前記保留処理とを実行させることを特徴とする請求項５に記載の工程管理プログラム。
【請求項７】
前記管理コンピュータを、さらに、
前記管理コンピュータが、前記ロットトレース処理により特定された関連ロットを表示する手段と、
前記表示された関連ロットのユーザによる選択を受け入れる手段として機能させるとともに、
前記保留処理を、前記特定のロット及び前記選択された関連ロットについて実行させることを特徴とする請求項５又は６に記載の工程管理プログラム。
【請求項８】
前記工程管理サーバは、品質を維持できる範囲に関する管理基準条件と、前記管理基準条件の範囲内において、より厳格な条件である通知条件とに関するデータを記録した基準条件データ記憶手段をさらに備え、
前記管理コンピュータを、さらに、
ロットの検査結果が前記通知条件を満たした場合に、前記基準条件を満たしたロットに関する通知を行う手段として機能させるとともに、
前記管理基準条件の範囲を逸脱した場合には、前記管理基準条件の範囲を逸脱したロットを前記特定のロットとして、前記ロットトレース処理と前記保留処理とを実行させることを特徴とする請求項５〜７のいずれか１つに記載の工程管理プログラム。
【発明の詳細な説明】
【技術分野】
【０００１】
本発明は、工程管理方法及び工程管理プログラムに関し、詳しくは、よりよい品質を維持するための工程管理方法及び工程管理プログラムに関する。
【背景技術】
【０００２】
品質に疑義が発生した場合には、まず、情報共有のための初期調査を行い、次に、仕上ロットから原材料ロットまでの製造条件と品質特性を調査することによる要因調査を行う場合がある。そして、時系列に並べたデータから変化点を抽出し、疑義内容との因果関係を判断することにより、要因解析・絞込を行う。そして、絞り込んだ要因によって疑義内容が再現するかを、再現実験により検証することにより要因検証を行う。そして、原材料から仕上までにおける対象範囲の工程、設備、検査等に関する帳票を収集し、特定した要因に該当する範囲（品種、ロット）を選定することにより、拡大性の推察、すなわち、範囲の絞込を行う。そして、このようにして絞り込まれた範囲について、現物への保留連絡書を発行する。この保留連絡書に基づいて、担当者が各倉庫や各製造現場に急行し、現物を保留にするための処置を行う。
【０００３】
一方、複数の工程を経てロットを単位とした製品を製造する生産ラインを管理するための技術が開発されている（例えば、特許文献１参照。）。この特許文献１には、各工程の投入時刻、排出時刻を、工程毎の設備稼働開始時刻、終了時刻、及び不良品排出時刻、製品の流し方の変更情報から計算し、投入ロットに関する情報を入力する作業工数を低減する技術が開示されている。
【特許文献１】特開２００４−１５７７４１号公報（第５−７頁）
【発明の開示】
【発明が解決しようとする課題】
【０００４】
しかし、上述の品質疑義発生時の対応では、情報の収集や収集したデータのコンピュータへの入力や集計に時間がかり、初期調査から範囲絞込までに多大な時間を要する。また、絞り込まれた範囲について出力した保留連絡書に基づいて担当者が現地に出向いて保留処置を行った場合、保留処置にも多大な時間を要する可能性がある。この結果、保留処置が遅れた場合、問題のある製品を出荷し、或いは問題のある部品を次工程に導入していることとなる場合もある。このような事態を招いたのでは被害が拡大するおそれがある。
【０００５】
また、投入ロットに関する情報の入力の作業工数が低減されても、品質疑義の発生時にその情報を効率よく利用できなければ、やはり初期調査から範囲絞り込みまでに多大な時間がかかり、また、保留処置のために費やされる時間も低減できない。
【０００６】
本発明は、上記問題点を解決するためになされたものであり、その目的は、よりよい品質を維持するための工程管理方法及び工程管理プログラムを提供することにある。
【課題を解決するための手段】
【０００７】
上記問題点を解決するために、請求項１に記載の発明は、ロット識別子を用いてロットの階層関係に関するデータを記録するロット階層データ記憶手段と、管理コンピュータとを備えた工程管理サーバを用いて工程管理を行う工程管理方法であって、前記管理コンピュータが、各ロットの階層関係に関する情報を前記ロット階層データ記憶手段に記録する段階と、特定のロットに関連する関連ロットを、前記ロット階層データ記憶手段に記録されたデータに基づくツリー構造を用いて特定するロットトレース処理を行う段階と、前記ツリー構造を用いた関連ロットの特定に基づいて、前記特定のロット及び前記関連ロット
の利用を保留にするための保留処理を行う段階とを実行することを要旨とする。
【０００８】
請求項２に記載の発明は、請求項１に記載の工程管理方法において、前記工程管理サーバは、各ロットの製造設備及び製造時刻に関する情報を記録するロット製造データ記憶手段をさらに備え、前記管理コンピュータが、各ロットの製造設備及び製造時刻に関する情報を前記ロット製造データ記憶手段に記録する段階と、前記ロット製造データ記憶手段に記録された前記製造設備及び製造時刻に基づいて、ロットを検索する段階とをさらに実行し、前記検索されたロットを前記特定のロットとして、前記ロットトレース処理と前記保留処理とを実行することを要旨とする。
【０００９】
請求項３に記載の発明は、請求項１又は２に記載の工程管理方法において、前記管理コンピュータが、前記ロットトレース処理により特定された関連ロットを表示する段階と、前記表示された関連ロットのユーザによる選択を受け入れる段階とをさらに実行し、前記保留処理は、前記特定のロット及び前記選択された関連ロットについて実行することを要旨とする。
【００１０】
請求項４に記載の発明は、請求項１〜３のいずれか１つに記載の工程管理方法において、前記工程管理サーバは、品質を維持できる範囲に関する管理基準条件と、前記管理基準条件の範囲内において、より厳格な条件である通知条件とに関するデータを記録した基準条件データ記憶手段をさらに備え、前記管理コンピュータが、ロットの検査結果が前記通知条件を満たした場合に、前記基準条件を満たしたロットに関する通知を行い、前記管理基準条件の範囲を逸脱した場合には、前記管理基準条件の範囲を逸脱したロットを前記特定のロットとして、前記ロットトレース処理と前記保留処理とを実行することを要旨とする。
【００１１】
請求項５に記載の発明は、ロット識別子を用いてロットの階層関係に関するデータを記録するロット階層データ記憶手段と、管理コンピュータとを備えた工程管理サーバを用いて工程管理を行うための工程管理プログラムであって、前記管理コンピュータを、各ロットの階層関係に関する情報を前記ロット階層データ記憶手段に記録する段階と、特定のロットに関連する関連ロットを、前記ロット階層データ記憶手段に記録されたデータに基づくツリー構造を用いて特定するロットトレース処理を行うロットトレース手段と、前記ツリー構造を用いた関連ロットの特定に基づいて、前記特定のロット及び前記関連ロットの利用を保留にするための保留処理を行う保留手段として機能させることを要旨とする。
【００１２】
請求項６に記載の発明は、請求項５に記載の工程管理プログラムにおいて、前記工程管理サーバは、各ロットの製造設備及び製造時刻に関する情報を記録するロット製造データ記憶手段をさらに備え、前記管理コンピュータを、さらに、各ロットの製造設備及び製造時刻に関する情報を前記ロット製造データ記憶手段に記録する手段と、前記ロット製造データ記憶手段に記録された前記製造設備及び製造時刻に基づいて、ロットを検索する手段として機能させるとともに、前記検索されたロットを前記特定のロットとして、前記ロットトレース処理と前記保留処理とを実行させることを要旨とする。
【００１３】
請求項７に記載の発明は、請求項５又は６に記載の工程管理プログラムにおいて、前記管理コンピュータを、さらに、前記管理コンピュータが、前記ロットトレース処理により特定された関連ロットを表示する手段と、前記表示された関連ロットのユーザによる選択を受け入れる手段として機能させるとともに、前記保留処理を、前記特定のロット及び前記選択された関連ロットについて実行させることを要旨とする。
【００１４】
請求項８に記載の発明は、請求項５〜７のいずれか１つに記載の工程管理プログラムにおいて、前記工程管理サーバは、品質を維持できる範囲に関する管理基準条件と、前記管
理基準条件の範囲内において、より厳格な条件である通知条件とに関するデータを記録した基準条件データ記憶手段をさらに備え、前記管理コンピュータを、さらに、ロットの検査結果が前記通知条件を満たした場合に、前記基準条件を満たしたロットに関する通知を行う手段として機能させるとともに、前記管理基準条件の範囲を逸脱した場合には、前記管理基準条件の範囲を逸脱したロットを前記特定のロットとして、前記ロットトレース処理と前記保留処理とを実行させることを要旨とする。
【００１５】
（作用）
請求項１又は５に記載の発明によれば、管理コンピュータは、各ロットの階層関係に関する情報をロット階層データ記憶手段に記録する。そして、特定のロットに関連する関連ロットを、ロット階層データ記憶手段に記録されたデータに基づくツリー構造を用いて特定するロットトレース処理を行う。そして、ツリー構造を用いた関連ロットの特定に基づいて、特定のロット及び関連ロットの利用を保留にするための保留処理を行う。これにより、特定のロットと階層関係にある関連ロットを特定し、この特定のロット及び関連ロットを保留にすることができる。従って、不良のロットが見つかった場合に、不良のロット及びこのロットから派生するロットの利用を保留にすることができる。
【００１６】
請求項２又は６に記載の発明によれば、管理コンピュータは、各ロットの製造設備及び製造時刻に関する情報をロット製造データ記憶手段に記録する。そして、ロット製造データ記憶手段に記録された製造設備及び製造時刻に基づいて、ロットを検索する。そして、検索されたロットを特定のロットとして、ロットトレース処理と保留処理とを実行する。これにより、製造設備及び製造時刻に基づいてロットを検索し、検索されたロット及びこの関連ロットの利用を保留にすることができる。従って、製造設備及び製造時刻に基づいて特定されたロットと、このロットから派生するロットの利用を保留にすることができる。
【００１７】
請求項３又は７に記載の発明によれば、管理コンピュータは、ロットトレース処理により特定された関連ロットを表示し、表示された関連ロットのユーザによる選択を受け入れる。そして、特定のロット及び選択された関連ロットについて保留処理を行う。これにより、特定された関連ロットのうち、ユーザにより選択された関連ロットについて、保留処理を行うことができる。従って、特定の関連ロットとして検索されたロットのうち、ユーザにより選択された関連ロットについてのみ、保留とすることができる。
【００１８】
請求項４又は８に記載の発明によれば、管理コンピュータは、ロットの検査結果が、品質を維持できる範囲に関する管理基準条件の範囲内において、より厳格な条件である通知条件を満たした場合に、通知条件を満たしたロットに関する通知を行い、管理基準条件の範囲を逸脱した場合には、管理基準条件の範囲を逸脱したロットを特定のロットとして、ロットトレース処理と保留処理とを実行する。これにより、ロットが管理基準条件の範囲を逸脱することを未然に防止することが可能となるとともに、管理基準条件の範囲を逸脱するロットが見つかった場合に、管理基準条件の範囲を逸脱したロット及びこのロットから派生するロットの利用を保留にすることができる。
【発明の効果】
【００１９】
本発明によれば、よりよい品質を維持することができる。
【発明を実施するための最良の形態】
【００２０】
以下、本発明を具体化した一実施形態を、図１〜図６を用いて説明する。本実施形態では、サーマル用紙の生産において工程管理に適用した場合について説明する。
図１に示すように、作業者端末４０及びバーコードリーダ付端末５０は、ネットワーク６０を介して工程管理サーバ２０に接続されている。
【００２１】
作業者端末４０は、作業者が使用する端末であって、調合・塗布の加工実績、製造条件、工程検査、設備点検、棚卸しの実績報告等を行う場合に用いられる。
バーコードリーダ付端末５０は、作業者が使用するバーコードリーダ付の携帯端末であって、各工程の実績報告や資材入出庫の実績報告を行う場合や、原材料の製造への投入、仕掛品（部品）の次工程への投入、製品出荷時のチェックに用いられる。なお、本実施形態では、各原材料、仕掛品、製品に、部番及びロット番号を示すバーコードが付されている。
【００２２】
工程管理サーバ２０は、管理コンピュータ２１を備えている。管理コンピュータ２１は、図示しないＣＰＵ、ＲＡＭ、ＲＯＭ等を備え、後述する処理を行う。そのための工程管理プログラムを実行することにより、管理コンピュータ２１は、情報登録部、ロットトレース部、保留処置部及び傾向管理部等として機能する。
【００２３】
情報登録部は、各種情報の登録を行う。この情報登録部は、各ロットの階層関係に関する情報をロットデータ記憶部３１に記録することにより、特許請求の範囲に記載の階層登録手段として機能する。
【００２４】
ロットトレース部は、特定のロットに関連する関連ロットを、ロットデータ記憶部３１に記録されたデータに基づくツリー構造を用いて特定するロットトレース処理や、設備を基準にある時間の範囲でロットを絞り込む処理を行う。このロットトレース部は、ロットトレース処理を行うことにより、特許請求の範囲に記載のロットトレース手段として機能する。
【００２５】
保留処置部は、品質不良が見つかった場合等に、品質不良が見つかったロットや、このロットから派生するロットについて保留処置を施すための処理を行う。この保留処置部は、ツリー構造を用いた関連ロットの特定に基づいて、特定のロット及びこのロットから派生するロット（関連ロット）の利用を保留にするための保留処理を行うことにより、特許請求の範囲に記載の保留処理手段として機能する。
【００２６】
傾向管理部は、品質検査結果や製造条件についての傾向管理のための処理を行う。
管理コンピュータ２１は、ロット階層データ記憶手段及びロット製造データ記憶手段としてのロットデータ記憶部３１、基準条件データ記憶手段としての基準条件データ記憶部３２、設備データ記憶部３３、検査結果データ記憶部３４に接続されている。
【００２７】
ロットデータ記憶部３１には、ロット識別子としてのロット番号及び部番毎にロットデータ３１０が記録される。このロットデータ３１０は、ロット番号、部番、設備識別子、プロセス日時、前工程部番・ロット番号、ステータス及び理由に関するデータを含んで構成されている。
【００２８】
ロット番号データ領域には、ロットを特定するための識別子としてのロット番号に関するデータが記録される。なお、本実施形態において、ロットとは、一度に生産している部品（仕掛品）や製品のまとまりをいう。また、原材料についても、ロット単位で管理する。
【００２９】
部番データ領域には、このロット（原材料、仕掛品（部品）、製品）の部番に関するデータが記録されている。なお、各原材料、各仕掛品、各製品に、これらを特定するための識別子としての部番が付されている。
【００３０】
設備識別子データ領域には、このロットを生産した設備を特定するための識別子に関す
るデータが記録される。
プロセス日時データ領域には、この設備において、このロットの生産を行ったプロセス日時（年月日及び時刻）に関するデータが記録される。なお、サーマル用紙の生産では、原紙から製品までの生産プロセスにおいては、プロセス日時として、製造日と加工開始時刻の範囲とが記録される。また、薬品から塗布液までの生産プロセスにおいては、プロセス日時として、送液日と送液時刻とが記録される。
【００３１】
前工程部番・ロット番号データ領域には、このロット（仕掛品、製品）の生産に用いるロット（原材料、仕掛品）の部番及びロット番号に関するデータが記録される。なお、複数のロット（原材料、仕掛品）が用いられている場合には、複数の前工程部番・ロット番号が記録される。
【００３２】
ステータスデータ領域には、このロットのステータスに関するデータが記録される。具体的には、ステータスとして、原材料については、「良品」、「不良品」、「期限切れ」、「保留１」のいずれかが記録される。「良品」は、受入検査合格のものである。「不良品」は、受入検査不合格のものである。「期限切れ」は、保証期限が切れたものである。「保留１」は、原材料に起因する品質トラブル発生時、保留扱いにされたものである。ここで、「良品」のみ製造に投下でき、「不良品」、「期限切れ」及び「保留１」は製造に投下できないものとする。
【００３３】
仕掛品については、ステータスとして、「良品」、「不良品」、「期限切れ」、「保留１」、「保留２」のいずれかが記録される。「良品」は、工程検査合格のものである。「不良品」は、製造現場で破損したものである。「期限切れ」は、工程検査は合格であったが、滞留期限が切れているものである。「保留１」は、品質トラブル発生時、保留扱いにされたもの、又は、工程検査不合格のもので処置未決定、又は処置不能と判断されたものである。「保留２」は、工程検査は不合格であるが、何らかの処置（後続の工程で不良部位を取り除くこと等）を行うことで良品となるものである。サーマル用紙の製造においては、紙への薬品の塗布において、工程検査が不合格でも後続の不良部位を取り除くことができる場合があるため、この場合は、「保留２」を設定する。ここで、「良品」及び「保留２」は次工程に投下でき、「不良品」、「期限切れ」及び「保留１」は次工程に投下できないものとする。
【００３４】
製品については、ステータスとして、「良品」、「不良品」、「期限切れ」、「保留１」のいずれかが記録される。「良品」は、最終検査合格のものである。「不良品」は、製造倉庫で破損したものである。「期限切れ」は、最終検査は合格であったが、保管期限切れ又は保証期限切れになったものである。「保留１」は、品質トラブル発生時、保留扱いにされたものである。ここで、「良品」のみ出荷に投下でき、「不良品」、「期限切れ」及び「保留１」は出荷できないものとする。
【００３５】
理由データ領域には、ステータスが「保留１」、「保留２」の場合に、保留理由に関するデータが記録される。
基準条件データ記憶部３２には、製造規格や検査規格の基準条件についての製造基準条件データ３２１及び検査基準条件データ３２２が記録されている。製造基準条件データ３２１は、製造規格項目、製造規格、製造規格通知基準、管理水準、管理水準通知基準及び変動水準に関するデータを含んで構成されている。
【００３６】
製造規格項目データ領域には、製造規格の項目に関するデータが記録されている。具体的には、例えば、ライン速度、乾燥温度、張力、ロール周速等が、製造規格の項目として設定されている。
【００３７】
製造規格データ領域には、この製造規格項目について、製造規格に関するデータが記録されている。具体的には、例えば、製造規格項目「乾燥温度」について、製造規格として「９０±１０（℃）」のように設定されている。
【００３８】
製造規格通知基準データ領域には、製造規格に接近した場合の通知基準に関するデータが記録されている。例えば、製造規格の上下限値から所定温度（例えば、１℃）の範囲内になった場合に、通知対象とし、この所定温度が記録されている。
【００３９】
管理水準データ領域には、この製造規格項目について、管理水準に関するデータが記録されている。具体的には、例えば、製造規格項目「乾燥温度」について、管理水準として「９０±７（℃）」のように設定されている。この管理水準は、製造規格よりも厳格な条件で設定されている。
【００４０】
管理水準通知基準データ領域には、管理水準に接近した場合の通知基準に関するデータが記録されている。例えば、管理水準の上下限値から所定温度（例えば、１℃）の範囲内になった場合に、通知対象とし、この所定温度が記録されている。
【００４１】
変動水準データ領域には、この製造規格項目について、変動水準に関するデータが記録されている。この変動水準とは、通知の対象となる連続する変動状況である。例えば、所定回数連続して値が上昇した場合を、通知の対象とする変動水準として設定している。
【００４２】
検査基準条件データ３２２は、検査規格項目、検査規格、検査規格通知基準、管理水準、管理水準通知基準及び変動水準に関するデータを含んで構成されている。
検査規格項目データ領域には、検査規格の項目に関するデータが記録されている。具体的には、例えば、付着量、水分値、画像濃度、粒径等が、検査規格の項目として設定されている。
【００４３】
検査規格、検査規格通知基準、管理水準、管理水準通知基準及び変動水準の各データ領域には、この検査規格項目についての値が、上記製造基準条件データ３２１の場合と同様に、それぞれ設定されている。
【００４４】
設備データ記憶部３３には、設備の状態等の製造条件に関するデータが記録される。具体的には、製造条件の計測の際に、設備識別子、部番、製造条件項目（ライン速度、乾燥温度、張力、ロール周速等）、計測日時及び製造条件の計測値が記録される。検査結果データ記憶部３４には、検査結果に関するデータが記録される。具体的には、検査結果が得られた場合に、部番、ロット番号、検査項目（付着量、水分量、画像濃度、粒径等）、検査日時及び検査結果が記録される。
【００４５】
次に、このように構成されたシステムを用いて、品質不良品による被害を抑制するための処理を行う場合の処理手順について図４〜図６を用いて説明する。ここでは、派生ロット一括保留処理（図４）と、指定範囲一括保留処理（図５）と、傾向管理処理（図６）とに分けて説明する。
【００４６】
（派生ロット一括保留処理）
まず、ロット番号と部番を基点に階層を追跡し、派生するロット（部番、ロット番号）を特定し、派生ロットについて一括保留処置を施す派生ロット一括保留処理について図４を用いて説明する。
【００４７】
図４に示すように、管理コンピュータ２１は、まず、検索の基点とする特定のロットの部番・ロット番号を特定する（ステップＳ１−１）。具体的には、例えば、検索画面にお
いて作業者（ユーザ）が入力した、不良が生じたロットの部番・ロット番号に基づいて、部番・ロット番号の特定を行う。そして、この部番・ロット番号により、ロットデータ記憶部３１を検索する。
【００４８】
次に、管理コンピュータ２１は、ツリーを展開し、階層を追跡する（ステップＳ１−２）。具体的には、まず、作業者が、検索画面において、原材料から製品の方向、製品から原材料の方向のいずれで検索を行うかについて、選択入力を行う。原材料から製品の方向の検索は、特定のロットから派生ロットを検索する場合に行う。また、製品から原材料の方向の検索は、品質不良が見つかったロットから、この品質不良の原因となるロットを検索する場合に行う。
【００４９】
原材料から製品の方向で検索を行う場合、管理コンピュータ２１は、まず、入力された部番・ロット番号によりロットデータ記憶部３１の前工程部番・ロット番号を検索し、検索されたロットデータ３１０を抽出する。そして、抽出された各ロットデータ３１０の部番・ロット番号によりロットデータ記憶部３１の前工程部番・ロット番号を検索し、検索されたロットデータ３１０を抽出する。これを繰り返して、入力された部番・ロット番号のロットから、製品のロットまで検索する。
【００５０】
一方、製品から原材料の方向で検索を行う場合、管理コンピュータ２１は、まず、入力された部番・ロット番号のロットデータ３１０の前工程部番・ロット番号を抽出する。そして、この前工程部番・ロット番号により、ロットデータ記憶部３１の部番及びロット番号を検索し、検索されたロットデータ３１０を抽出する。そして、抽出された各ロットデータ３１０の前工程部番・ロット番号により、ロットデータ記憶部３１の部番及びロット番号を検索し、検索されたロットデータ３１０を抽出する。これを繰り返して、入力された部番・ロット番号のロットから、原材料のロットまで検索する。
【００５１】
そして、管理コンピュータ２１は、検索結果に関するデータを作業者端末４０に送信する。これを受信した作業者端末４０は、検索結果を表示する（ステップＳ１−３）。この検索結果画面では、検索されたロット番号が部番・ロット番号の関連付けに従ってツリー表示されており、各ロット番号には、部番が対応づけて表示されている。各ロット番号を選択して、加工実績、検査結果、製造条件の表示を要求することにより、加工実績、検査結果、製造条件がそれぞれ表示されるようになっている。具体的には、加工実績は、部番及びロット番号により特定されるロットデータ３１０の設備識別子及びプロセス日時に基づいて表示される。検査結果は、部番及びロット番号により検査結果データ記憶部３４から抽出された検査結果データに基づいて表示される。製造条件は、部番及びロット番号により特定されるロットデータ３１０の設備識別子及びプロセス日時に基づいて設備データ記憶部３３から抽出された設備データに基づいて表示される。作業者は、これらの表示を確認して、保留処置の対象とするロットについて検討する。
【００５２】
そして、作業者は、作業者端末４０を用いて、保留処置を行うと決めたロット番号を選択し、保留理由を入力するとともに、保留指示を行う。作業者端末４０は、選択されたロット番号及び部番と保留理由とを含む保留指示データを管理コンピュータ２１に送信する。この保留指示データを受信した場合（ステップＳ１−４においてＹＥＳの場合）、管理コンピュータ２１は、派生ロットについて一括保留処置を施すための処理を行う（ステップＳ１−５）。具体的には、受信した保留指示データ中のロット番号及び部番に基づいてロットデータ記憶部３１を検索し、検索されたロットデータ３１０のステータスデータ領域に「保留１」、理由データ領域に保留指示データ中の保留理由をそれぞれ記録する。
【００５３】
ロットデータ３１０のステータスとして「保留１」が記録されたものについては、原材料、仕掛品、製品について、それぞれ製造への投入、次工程への投入、出荷の時点で、製
造への投入、次工程への投入、出荷を不可とする。具体的には、まず、原材料、仕掛品、製品について、それぞれ製造への投入、次工程への投入、出荷の時点で、作業者がバーコードリーダ付端末５０により、各原材料、仕掛品、製品に付されたバーコードを読み込む。すると、バーコードリーダ付端末５０は、このバーコードによって示される部番及びロット番号を管理コンピュータ２１に送信する。管理コンピュータ２１は、この部番及びロット番号によりロットデータ記憶部３１を検索し、検索されたロットデータ３１０のステータスが「保留１」の場合、製造への投入、次工程への投入、出荷が不可の旨を示すエラーデータをバーコードリーダ付端末５０に送信する。なお、ステータスが「不良品」、「期限切れ」の場合も、同様にエラーデータをバーコードリーダ付端末５０に送信する。このエラーデータを受信したバーコードリーダ付端末５０は、警告音を発するとともに、製造への投入、次工程への投入、出荷が不可の旨を表示する。作業者は、これを確認して、保留対象となった各原材料、仕掛品、製品の製造への投入、次工程への投入、出荷を取りやめる。
【００５４】
なお、一括保留を行わない場合、作業者は、保留処置は行わない旨を作業者端末４０において入力し、作業者端末４０は、この指示を管理コンピュータ２１に送信する。これを受信した場合（ステップＳ１−４においてＮＯの場合）、管理コンピュータ２１は、この処理を終了する。
【００５５】
（指定範囲一括保留処理）
次に、設備を基準にある時間の範囲でロットを絞り込み、絞り込まれたロットについて保留処置を施す指定範囲一括保留処理について図５を用いて説明する。
【００５６】
この指定範囲一括保留処理では、設備を基準に特定の時間の範囲で、当てはまるロットを検索する。検索されたロット、及び検索されたロットの派生ロットについて、一括して保留処置を施す。
【００５７】
図５に示すように、管理コンピュータ２１は、まず、設備及び時間の範囲を特定する（ステップＳ２−１）。具体的には、作業者（ユーザ）が、作業者端末４０を用いて、検索画面において、設備識別子、部番、製造日時を入力して検索要求を行う。作業者端末４０は、この設備識別子、部番、製造日時に関するデータを管理コンピュータ２１に送信する。これを受信した管理コンピュータ２１は、この設備識別子、部番、製造日時に基づいてロットデータ記憶部３１を検索し、ロット番号を抽出する（ステップＳ２−２）。
【００５８】
そして、管理コンピュータ２１は、この検索結果を表示する指定範囲の検索結果画面を作業者端末４０に送信する。これを受信した作業者端末４０は、この検索結果画面を表示する（ステップＳ２−３）。この検索結果画面では、設備識別子、部番、製造日時と、検索されたロット番号が表示されており、各ロット番号を選択して、加工実績、検査結果、製造条件の表示を要求することにより、加工実績、検査結果、製造条件がそれぞれ表示されるようになっている。これらの表示は、具体的には、上記ステップＳ１−３の場合と同様にして行われる。作業者は、これらの表示を確認して、まず、指定範囲のロットの派生ロットについて、一括保留処置を施すかどうかを検討する（ステップＳ２−４）。
【００５９】
指定範囲のロットの派生ロットについて一括保留処置を施す場合（ステップＳ２−４においてＹＥＳの場合）、まず、指定範囲の検索結果画面に表示されたロット番号の中で、派生ロットについて一括保留処置の検討を行うロット番号を選択する。そして、選択されたロット番号について、管理コンピュータ２１が、上記ステップＳ１−２及びステップＳ１−３の処理を行う。
【００６０】
ユーザは、派生ロットの検索結果画面に表示されたロット番号のツリー表示を確認し、
さらに、各ロット番号の表示にリンクされた、加工実績、検査結果、製造条件をそれぞれ確認して、一括保留処置の対象とする派生ロットについて検討する。
【００６１】
そして、一括保留処置の対象とする派生ロットについて、派生ロットの検索結果画面上でロット番号を選択し、保留指示を行う。ここで、指定範囲の検索結果のロットのうち指定されたロットについて、派生ロットについて同様の一括保留処置を施す場合、指定範囲の検索結果画面において指定された各ロットの派生ロットについて同様に一括保留処置を施すように指定可能とする。具体的には、作業者は、指定範囲の検索結果画面に表示されたロットのうち保留処置の対象のロット番号を選択するとともに、そのうちの１つのロットを選択して派生ロットを示すツリー構造を表示させ、保留とする派生ロットを選択する。そして、指定範囲の検索結果のうち指定されたロットの派生ロットについて、同様に保留処置を施すことの指示を入力する。さらに、作業者は、保留理由を入力する。この場合、作業者端末４０は、指定範囲の検索結果画面で指定されたロット番号・部番、派生ロットの検索結果画面で指定された派生ロットのロット番号・部番、及び保留理由に関するデータを含む保留指示データを管理コンピュータ２１に送信する。
【００６２】
これを受信した管理コンピュータ２１は、この保留指示データに基づいて、指定範囲のロットのうち指定されたロットと、これから派生するロットのうち指定されたロットについて、一括保留処置を施すための処理を行う（ステップＳ２−７）。具体的には、まず、保留指示データ中の指定範囲の検索結果画面で指定されたロット番号・部番によりロットデータ記憶部３１を検索し、検索されたロットデータ３１０のステータスデータ領域に「保留１」、理由データ領域に保留指示データ中の保留理由をそれぞれ記録する。さらに、このロット番号・部番によりロットデータ記憶部３１の前工程部番・ロット番号を検索し、検索されたロットデータ３１０の部番が保留指示データ中の指定された派生ロットの部番である場合、このロットデータ３１０のステータスデータ領域に「保留１」、理由データ領域に保留指示データ中の保留理由をそれぞれ記録する。そして、保留指示データ中の指定範囲の検索結果画面で指定されたロットから、製品のロットまでこの処理を繰り返す。
【００６３】
一方、指定範囲のロットの派生ロットについて一括保留処置を施さない場合（ステップＳ２−４においてＮＯの場合）、作業者は、指定範囲の検索結果のロットについて一括保留処置を施すかどうかを検討する。
【００６４】
一括保留を行う場合、作業者は、指定範囲検索結果画面において保留処置を施すロット番号を選択し、保留理由を入力して保留指示を行う。作業者端末４０は、部番と選択されたロット番号と保留理由とを含む保留指示データを管理コンピュータ２１に送信する。これを受信した場合（ステップＳ２−５においてＹＥＳの場合）、管理コンピュータ２１は、指定範囲のロットについて一括保留処置を施すための処理を行う（ステップＳ２−６）。具体的には、受信した保留指示データのロット番号及び部番に基づいてロットデータ記憶部３１を検索し、検索されたロットデータ３１０のステータスデータ領域に「保留１」、理由データ領域に保留指示データ中の保留理由をそれぞれ記録する。
【００６５】
一方、一括保留を行わない場合、作業者は、保留処置は行わない旨を作業者端末４０において入力し、作業者端末４０は、この指示を管理コンピュータ２１に送信する。これを受信した場合（ステップＳ２−５においてＮＯの場合）、管理コンピュータ２１は、この指定範囲一括保留処理を終了する。
【００６６】
ロットデータ３１０のステータスとして「保留１」が記録されたものについては、上記の派生ロット一括保留処理の場合と同様に、原材料、仕掛品、製品について、それぞれ製造への投入、次工程への投入、出荷の時点で、各原材料、仕掛品、製品に付されたバーコ
ードを読み込んだ際に、製造への投入、次工程への投入、出荷を不可とする。
【００６７】
（傾向管理処理）
次に、製造条件及び品質検査結果について傾向管理を行う傾向管理処理について図６を用いて説明する。
【００６８】
この傾向管理処置では、製造条件や品質検査結果に関する情報に基づいて傾向管理を行い、対応が必要な状態になった場合に、アラームを通知する。さらに、品質検査結果及び製造条件に関する情報に基づいて、傾向管理に関するチャートを自動で作成する。また、製造規格や検査規格の範囲を逸脱した場合には、対象となるロット及びこのロットから派生するロットについて一括保留処置を施す。まず、製造条件について傾向管理を行う場合について説明する。
【００６９】
図６に示すように、管理コンピュータ２１は、まず、計測データを取得する（ステップＳ３−１）。ここで、製造条件については、製造設備の製造条件に関するデータを取得し、設備データ記憶部３３に記録する。具体的には、計測された製造条件の値を、設備識別子、部番、製造条件項目、計測日時に関連付けて記録する。
【００７０】
そして、管理コンピュータ２１は、基準条件を取得する（ステップＳ３−２）。具体的には、設備データ記憶部３３に記録した計測データの製造条件項目に基づいて、基準条件データ記憶部３２の製造基準条件データ３２１の製造規格項目を検索して、製造基準条件データ３２１を抽出する。
【００７１】
そして、管理コンピュータ２１は、計測データの値が規格の範囲を逸脱していないかどうかを調べる（ステップＳ３−３）。具体的には、計測データ中の製造条件の計測値を、製造基準条件データ３２１の製造規格と比較する。
【００７２】
そして、規格の範囲外の場合（ステップＳ３−３においてＹＥＳの場合）、管理コンピュータ２１は、対象となるロットを特定する（ステップＳ３−７）。製造条件については、計測データ中の製造設備（設備識別子）、部番、計測日時に基づいて、ロットデータ記憶部３１の設備識別子、部番、プロセス日時を検索する。ここで、プロセス日時については、計測日時の前後所定の範囲内（例えば、規格の範囲外となる前の計測日時から規格の範囲外でなくなった計測日時又は現在日時の範囲内）を検索対象とする。そして、検索されたロットデータ３１０のロット番号及び部番を抽出する。
【００７３】
そして、検索された部番、ロット番号のロット、及びこのロットの派生ロットについて一括保留処置を施すための処理を行う（ステップＳ３−８）。具体的には、管理コンピュータ２１は、まず、製造規格の範囲外となったことを通知するための通知データを作業者端末４０に通知する。この通知データは、計測データ中の製造設備（設備識別子）、部番、計測日時に基づいて特定されたロット、及びこのロットの派生ロットについての検索結果画面に関連付けられている。この検索結果画面の表示要求を行うと、管理コンピュータ２１は、計測データ中の製造設備（設備識別子）、部番、計測日時に基づいて特定されたロット、及びこのロットの派生ロットの検索を行い、検索結果画面を作業者端末４０に表示させる。この検索結果画面では、計測データ中の製造設備（設備識別子）、部番、計測日時に基づいて特定されたロットについてロット番号が表示されるとともに、これらのロットの派生ロットが、部番・ロット番号の関連付けに従ってツリー表示される。作業者は、この検索結果を確認し、特定されたロットと、このロットの派生ロットについて一括保留処置を施す必要がある場合には、派生ロットについての一括保留処置の指示を行う。この場合、管理コンピュータ２１は、上記ステップＳ２−７の処理と同様に、特定されたロットと、このロットの派生ロットについて一括保留処置を施すための処理を行う。なお、
派生ロットについて一括保留処置を施さない場合、ステップＳ３−７において特定されたロットについて一括保留処置を施すための処理を行う。
【００７４】
一方、計測データが規格の範囲内の場合（ステップＳ３−３においてＮＯの場合）、管理コンピュータ２１は、計測データが通知基準に達しているかどうかを調べる（ステップＳ３−４）。具体的には、製造条件については、まず、設備データ記憶部３３に記録された計測データの製造条件の計測値を、製造基準条件データ３２１の管理水準と管理水準通知基準により求めた管理水準通知基準値と比較する。そして、計測データの製造条件の計測値が管理水準基準基準値に達している場合、通知基準に達していると判定する。なお、通知基準に達していると判定した場合、計測データの製造条件の計測値を、製造基準条件データ３２１の製造規格と製造規格通知基準により求めた製造規格通知基準値と比較し、製造規格通知基準値に達している場合、その旨を通知対象とする。また、計測データの製造条件の計測値が管理水準を逸脱している場合には、その旨を通知対象とする。また、計測データの製造条件の計測値の履歴により、計測データの変動水準が変動水準に達している場合、通知基準に達していると判定する。例えば、所定回数連続して値が上昇した場合を通知の対象とするとして変動水準が設定されている場合、製造条件の計測値が所定回数連続して上昇した場合に、通知基準に達していると判定する。
【００７５】
計測データが通知基準に達している場合（ステップＳ３−４においてＹＥＳの場合）、対象となるロットを特定する（ステップＳ３−５）。具体的には、計測データ中の設備識別子、計測日時に基づいて、ロットデータ記憶部３１の設備識別子及びプロセス日時を検索する。ここで、プロセス日時については、計測日時の前後所定の範囲内（例えば、規格の範囲外となる前の計測日時から規格の範囲外でなくなった計測日時又は現在日時の範囲内）を検索対象とする。そして、検索されたロットデータ３１０のロット番号及び部番を抽出する。
【００７６】
そして、特定されたロットについて、作業者端末４０にアラームを通知する（ステップＳ３−６）。具体的には、特定された部番及びロット番号と、通知基準に達した項目及び値と、通知基準に達した項目に関して管理コンピュータ２１が自動的に作成した傾向管理チャートへのリンク情報とを、作業者端末４０に送信する。
【００７７】
アラームの通知を受けた作業者は、通知された部番及びロット番号を確認するとともに、傾向管理チャートを参照して対応を検討し、必要な対応を行う。
一方、計測データが通知基準に達していない場合（ステップＳ３−４においてＮＯの場合）、この処理を終了する。
【００７８】
次に、品質検査結果について傾向管理を行う場合について説明する。なお、品質検査結果についての傾向管理についても、上記の製造条件についての傾向管理と同様に、図６を用いて説明する。なお、処理手順の概要は上記の製造条件についての傾向管理と同様であるため、ここでは、製造条件についての傾向管理とは異なる具体的な処理についてのみ説明する。
【００７９】
検査結果については、ステップＳ３−１において、検査結果が得られた場合に、取得した検査結果に関するデータを検査結果データ記憶部３４に記録する。具体的には、得られた検査結果に関するデータを、部番、ロット番号、検査項目、検査日時に関連付けて記録する。そして、ステップＳ３−２において、検査結果データ記憶部３４に記録した計測データの検査項目に基づいて、基準条件データ記憶部３２の検査基準条件データ３２２の検査規格項目を検索して、検査基準条件データ３２２を抽出する。そして、ステップＳ３−３において、計測データ中の検査結果の値を、検査基準条件データ３２２の検査規格と比較する。
【００８０】
そして、規格の範囲外の場合（ステップＳ３−３においてＹＥＳの場合）、ステップＳ３−７において、計測データ（検査結果データ）中の部番及びロット番号に基づいて、ロットデータ記憶部３１のロットデータ３１０を検索する。
【００８１】
そして、ステップＳ３−８において、管理コンピュータ２１は、まず、検査規格の範囲外となったことを通知するための通知データを作業者端末４０に通知する。この通知データは、計測データ（検査結果データ）中の部番及びロット番号に基づいて特定されたロット及びこのロットの派生ロットについての検索結果画面に関連付けられている。この検索結果画面の表示要求を行うと、管理コンピュータ２１は、計測データ（検査結果データ）中の部番及びロット番号に基づいて特定されたロット及びこのロットの派生ロットの検索を行い、上記ステップＳ１−３と同様の検索結果画面を作業者端末４０に表示させる。作業者は、この検索結果を確認し、規格の範囲外のロットと、このロットの派生ロットについて一括保留処置を施す必要がある場合には、一括保留処置の指示を行う。この場合、管理コンピュータ２１は、上記ステップＳ１−５の処理と同様の処理を行う。なお、派生ロットについて一括保留処置を施さない場合、ステップＳ３−７において特定された規格の範囲外のロットについて保留処置を施す。
【００８２】
一方、計測データが規格の範囲内の場合（ステップＳ３−３においてＮＯの場合）、ステップＳ３−４において、計測データ（検査結果データ）と検査基準条件データ３２２とを用いて、上記の製造条件についての場合と同様にして通知基準に達しているかどうかを調べる。
【００８３】
計測データが通知基準に達している場合（ステップＳ３−４においてＹＥＳの場合）、ステップＳ３−５において、計測データ（検査結果データ）中の部番及びロット番号に基づいて、ロットデータ記憶部３１のロットデータ３１０を検索し、対象となるロットを特定する。そして、ステップＳ３−６において、上記の場合と同様に、特定されたロットについて、作業者端末４０にアラームを通知する。
【００８４】
以上、本実施形態によれば、以下に示す効果を得ることができる。
○  上記実施形態では、管理コンピュータ２１は、各ロットの階層関係に関する情報として、ロット番号、部番及び前工程部番・ロット番号に関するデータを含むロットデータ３１０をロットデータ記憶部３１に記録する。そして、特定のロットに関連する関連ロットを、ロットデータ記憶部３１に記録されたロット番号、部番及び前工程部番・ロット番号に基づくツリー構造を用いて特定するロットトレース処理を行う。そして、このツリー構造を用いた関連ロットの特定に基づいて、特定のロット及びこのロットの派生ロット（関連ロット）の利用を保留にするための保留処理を行う。これにより、特定のロットと階層関係にある関連ロットを特定し、この特定のロット及びこのロットの派生ロットの利用を保留にすることができる。従って、不良のロットが見つかった場合に、不良のロット及びこのロットから派生するロットの利用を保留にすることができる。
【００８５】
○  上記実施形態では、管理コンピュータ２１は、各ロットの製造設備の設備識別子及び製造時刻（プロセス日時）に関する情報をロットデータ記憶部３１に記録する。そして、ロットデータ記憶部３１に記録された設備識別子及びプロセス日時に基づいて、ロットを検索する。そして、検索されたロットを特定のロットとして、ロットトレース処理と保留処理とを実行する。これにより、製造設備及び製造時刻に基づいてロットを検索し、検索されたロット及びこの関連ロットの利用を保留にすることができる。従って、製造設備及び製造時刻に基づいて特定されたロットと、このロットから派生するロットの利用を保留にすることができる。
【００８６】
○  上記実施形態では、管理コンピュータ２１は、ロットトレース処理により特定された関連ロットを表示し、表示された関連ロットのユーザによる選択を受け入れる。そして、特定のロット及び選択された関連ロットについて保留処理を行う。これにより、特定された関連ロットのうち、ユーザにより選択された関連ロットについて、保留処理を行うことができる。従って、特定の関連ロットとして検索されたロットのうち、ユーザにより選択された関連ロットについてのみ、保留とすることができる。
【００８７】
○  上記実施形態では、管理コンピュータ２１は、ロットの検査結果が、通知基準を満たした場合に、この通知基準を満たしたロットに関する通知を行い、規格の範囲を逸脱した場合には、規格の範囲を逸脱したロットを特定のロットとして、ロットトレース処理と保留処理とを実行する。これにより、ロットが規格の範囲を逸脱することを未然に防止することが可能となるとともに、規格の範囲を逸脱するロットが見つかった場合に、規格の範囲を逸脱したロット及びこのロットから派生するロットの利用を保留にすることができる。
【００８８】
なお、上記実施形態は、以下の態様に変更してもよい。
・  上記実施形態では、検索結果を作業者端末４０に表示し、作業者による選択に基づいて、保留処置の対象とするロットを特定して、一括して保留処置を施すための処理行った。これに代えて、特定のロットとこのロットから派生するロットについて、自動的に一括保留処置を施すための処理を行ってもよい。例えば、上記実施形態の傾向管理処理におけるステップＳ３−８における一括保留処置において、自動的に一括保留処置を施すための処理を行う。そして、一括保留処置を施すための処理を行った後に、作業者が保留を解除するかどうかの検討を行い、保留の必要がない場合には個別に保留の解除をするようにしてもよい。具体的には、ロットデータ記憶部３１のステータスを変更する。これにより、品質不良が見つかった場合に、品質不良が見つかったロットと、これから派生するロットについて、より早く保留の処置を施すことができる。
【００８９】
・  上記実施形態では、各原材料、各仕掛品、各製品のロットに部番及びロット番号を示すバーコードを付して、このバーコードを用いて、原材料の製造への投入、仕掛品（部品）の次工程への投入、製品出荷時における保留処置に関するチェックを行った。このようなチェックができれば、各ロットに付す部番及びロット番号を提示するための手段は特に限定されるものではなく、例えば、ＲＦＩＤを用いてもよい。
【００９０】
・  上記実施形態では、サーマル用紙の生産の工程管理において、本発明を適用したが、これに限られるものではなく、各種製品の生産の工程管理において、本発明を適用できる。
【図面の簡単な説明】
【００９１】
【図１】本発明の一実施形態のシステムの概略図。
【図２】ロットデータ記憶部に記録されたデータの説明図。
【図３】基準条件データ記憶部に記録されたデータの説明図。
【図４】本発明の一実施形態の処理手順の説明図。
【図５】本発明の一実施形態の処理手順の説明図。
【図６】本発明の一実施形態の処理手順の説明図。
【符号の説明】
【００９２】
２０…工程管理サーバ、２１…管理コンピュータ、３１…ロット階層データ記憶手段及びロット製造データ記憶手段としてのロットデータ記憶部、３２…基準条件データ記憶手段としての基準条件データ記憶部。
【図１】
2007102732.tif 000003
【図２】
2007102732.tif 000004
【図３】
2007102732.tif 000005
【図４】
2007102732.tif 000006
【図５】
2007102732.tif 000007
【図６】
2007102732.tif 000008